(57)【要約】      （修正有）【課題】天板の下面部に錠付きの引出しを配置して成る机において、引出しの取り付け位置の変更や引出しの大きさの変更といった仕様変更を簡単に行えるようにする。【解決手段】引出し１１は左右の支持レール１３によって前後動自在に支持されている。錠は、引出し１１の前部に配置されており、フロントケース６４とリアケース６８とにより、鍵穴５３とデッドボルトのストッパー部５５ａのみが露出する状態に覆われている。支持レール１３に、デッドボルトのストッパー部５５ａが嵌脱する係合穴を空けている。錠５２のデッドボルトは引出し１１とセットで使用される支持レール１３に係脱するものであるため、天板に特別の加工を施すことなく、施錠機能を確保した状態で引出し１１の取り付け位置を変更できる。【選択図】図９
2008088668.tif 000002
【特許請求の範囲】
【請求項１】
家具本体に支持レールを介して引出しが前後動自在に装架されており、前記引出しには、その前面からの解施錠操作によって作動するデッドボルトを有する錠が設けられており、
更に、前記支持レールに、前記錠のデッドボルトが係脱して引出しをロック状態とロック解錠状態とに切り換える係合部を設けている、
家具。
【請求項２】
机本体の一部を構成する天板と、前記天板の下面部に左右の支持レールを介して前後動自在に装架された引出しと、前記引出しの前部に設けた錠とを備えており、
前記引出しは深さが数十ミリの浅い形態である一方、前記錠は、前記左右支持レールのうち何れか一方の支持レールに向けて延びるデッドボルトを備えており、前記一方の支持レールに、前記デッドボルトが係脱する係合部を形成している、
請求項１に記載した家具としての机。
【請求項３】
前記引出しの前部は、人が指を下方から差し込むことのできる下向き開口の溝状部になっており、前記溝状部の後部は略鉛直姿勢の仕切り壁になっていてその後方は収納部になり、前記溝状部の前部は前記収納部の深さ寸法よりも小さい寸法で下向きに突出した指掛け部になっており、このため、前記収納部は溝状部から下方に段落ちした状態になっている一方、
前記錠は、シリンダを内蔵すると共に前面には鍵穴が空いた本体と、この本体から後ろ向きに突出したデッドボルトとが構成されており、前記錠の本体は、前記指掛け部よりも下方にはみ出た状態で前記溝状部に配置されていると共に、前記溝状部には、鍵穴を露出させた状態で前記錠の本体を覆うフロントケースが離脱不能に装着されており、更に、前記デッドボルトは収納部に位置しており、収納部には前記デッドボルトを覆うリアケースが離脱不能に配置されており、前記リアケースに、デッドボルトの先端部を突出させるための窓穴が空いている、
請求項２に記載した家具としての机。
【発明の詳細な説明】
【技術分野】
【０００１】
本願発明は、錠付きの引出しを備えた家具に関するものである。
【背景技術】
【０００２】
引出しを備えた家具は机やキャビネットなど種々存在しており、また、引出しに錠を設けることも広く行われている。引出し用の錠としては一般にデッドボルトを有するシリンダ錠が使用されており、例えば机の天板の下面箇所に配置した引出しであると、錠のデッドボルトを天板に形成した係合穴に係脱させることでロック状態とロック解除状態とに切り換えている（例えば特許文献１）。
【０００３】
他方、キャビネットに錠を設ける場合のロック手段としては、デッドボルトをキャビネット本体の上框又は側板に係合させる場合と、ラッチ爪をロックする場合とに分けられる。
【特許文献１】実公昭５７−３９４８４号公報
【発明の開示】
【発明が解決しようとする課題】
【０００４】
ところで、机において天板の下面部に浅い引出し（センター引出し）を設ける場合、例えば袖キャビネットを右に配置する場合と左に配置する場合とで引出しの位置を左右に変えるというように、引出しを左右に付け替えることがある。また、天板の下面部に幅狭の２枚の引出しを配置したり幅広の１枚の引出しを配置したりというように、引出しの配置数を異ならせることもある。
【０００５】
従って、従来のように錠のデッドボルトを天板の係合穴に係脱させる構成では、引出しの配置位置の違いを予め想定して天板に複数の係合穴を空けておくか、或いは、予め引出しの配置位置を確定しておいてこれに基づいて天板に係合穴を空けておくかせねばならず、いずれにしても引出しの配置態様を予め想定して天板に係合穴を空けておかねばならないため、天板の加工が面倒であるという問題があった。
【０００６】
他方、キャビネットの引出しに錠を設ける場合、錠のデッドボルトをキャビネット本体に係合させるとロック機能を向上できる利点がある。しかして、キャビネットに引出しを設ける場合、キャビネット本体は共通化して引出しの段数を変えたり引出しの高さを異ならせたりというように、仕様を異ならせることがあるが、この場合、各引出しに錠を設けてそのデッドボルトをキャビネット本体の側板に係脱させると、仕様の違いに応じてキャビネット本体の側板における係合穴の位置を異ならせておかねばならず、このためキャビネット本体の加工の手間が厄介であるという問題があった。
【０００７】
本願発明は、これらの問題を解消することを主たる課題とするものである。
【課題を解決するための手段】
【０００８】
家具の引出しは支持レールにガイドされて前後動するが、支持レールは家具本体に離脱不能に取り付けられており、かつ、引出しと支持レールとの位置関係は高い精度に設定されている。本願発明者たちはこの点に着目して本願発明を完成させるに至った。
【０００９】
すなわち本願発明は、家具本体に支持レールを介して引出しが前後動自在に装架されており、前記引出しには、その前面からの解施錠操作によって作動するデッドボルトを有する錠が設けられている家具において、前記支持レールに、前記錠のデッドボルトが係脱して引出しをロック状態とロック解錠状態とに切り換える係合部を設けている点を特徴としている。
【００１０】
本願発明は家具の種類に応じて具体化できる。請求項２の発明は机に適用したものであり、この発明の机は、机本体の一部を構成する天板と、前記天板の下面部に左右の支持レールを介して前後動自在に装架された引出しと、前記引出しの前部に設けた錠とを備えており、前記引出しは深さが数十ミリ（例えば２５〜５０ｍｍ程度）の浅い形態である一方、前記錠は、前記左右支持レールのうち何れか一方の支持レールに向けて延びるデッドボルトを備えており、前記一方の支持レールに、前記デッドボルトが係脱する係合部を形成している。
【００１１】
請求項３の発明は請求項２の発明を更に具体化している。すなわち請求項３の発明では、まず、前記引出しの前部は、人が指を下方から差し込むことのできる下向き開口の溝状部になっており、前記溝状部の後部は略鉛直姿勢の仕切り壁になっていてその後方は収納部になり、前記溝状部の前部は前記収納部の深さ寸法よりも小さい寸法で下向きに突出した指掛け部になっており、このため、前記収納部は溝状部から下方に段落ちした状態になっている。
【００１２】
そして、前記錠は、シリンダを内蔵すると共に前面には鍵穴が空いた本体と、この本体から後ろ向きに突出したデッドボルトとが構成されており、前記錠の本体は、前記指掛け部よりも下方にはみ出た状態で前記溝状部に配置されていると共に、前記溝状部には、鍵穴を露出させた状態で前記錠の本体を覆うフロントケースが離脱不能に装着されており、更に、前記デッドボルトは収納部に位置しており、収納部には前記デッドボルトを覆うリアケースが離脱不能に配置されており、前記リアケースに、デッドボルトの先端部を突出させるための窓穴が空いている。
【００１３】
本願発明において支持レールの構造に限定はないが、発明の目的からして、家具本体に後付けで取り付けるタイプが好ましく、更に、取り外し可能なものが好ましい。
【発明の効果】
【００１４】
本願発明は、引出しとセットになっている支持レールにデッドボルトの係合部を設けるものであるため、ロック手段として家具本体に係合部を加工する必要はなく、引出しの配置位置等の仕様の違いに関係なく、常に引出しをロックすることができる。このため、加工の手間をなくして経済的である。
【００１５】
また、支持レールはその性質上家具本体にしっかりと取り付けられているため、デッドボルトを家具本体に係脱させると同様の高いロック機能を確保することができる。また、引出しと支持レールとの位置関係は高い精度に設定されているため、係合部をあまり大きくしなくてもデッドボルトを係合部に係合させることができ、このため、ロック状態での引出しの前後動の遊びも少なくできる。
【００１６】
机（平机）における天板の下面部に引出し（センター引出し）を設ける場合、引出しの配置位置を変えたり大きさを変えたりというように仕様を変更させることが多く、このため、請求項２のように机に適用すると本願発明の価値が一層引き立つと言える。
【００１７】
ところで、机におけるセンター引出しの前端部は、人が下方から指を掛けて引くことができるように下向きに開口した溝状部になっていることがあり、溝状部と収納部とは薄い仕切り壁で区画されており、また、溝状部の前端を構成する下向きの指掛け部は収納部の深さ寸法よりも小さい寸法になっている。このため、机のセンター引出しの前端部には錠を格納できる中空部がない場合が多い。
【００１８】
そこで特許文献１では、錠を、本体からシリンダが前向きに突出した形態に構成して、錠の本体を収納部に配置して、シリンダは仕切り壁を貫通して前向きに突出せしめ、かつ、シリンダを溝状部に配置したカバーで覆っている。カバーは、収納部からねじ込んだねじで仕切り壁に締結しており、このため、ロック状態でカバーを取り外すことができないように配慮している。しかし、この構成では、本体からシリンダを前向きに突出させた特別仕様の錠を用意せねばならないため、コストが嵩む問題がある。
【００１９】
これに対して請求項３の構成を採用すると、シリンダが内蔵された通常の錠を使用しつつ、錠の本体はフロントケースで覆われて錠のデッドボルトはリアケースで覆われているため、保護機能を損なうことなく一般に市販されている錠を使用できる。このためコスト面で優れていて汎用性が高い。
【発明を実施するための最良の形態】
【００２０】
次に、本願発明の実施形態を図面に基づいて説明する。本実施形態は机に適用している。
【００２１】
(1).机の概略
図１は机１を連結して成る机群の概略斜視図であり、まず、この図１に基づいて机１の概略を説明する。机１は平面視矩形（横長長方形）の天板２を備えており、天板２は、支持体の一例としての脚３又は袖キャビネット４で支持されている。
【００２２】
本実施形態では、左右に並設した机１は脚３又は袖キャビネット４を共用している（すなわち、左右に隣り合った天板２は、一つの脚３又は袖キャビネット４に載っている。）。詳細は省略するが、天板２は、前後の連結金具で脚３又は袖キャビネット４に連結されている。机１の背面は強度メンバーとしてのバックフレーム５で構成されており、バックフレーム５は脚３及び袖キャビネット４の背面に連結されている。そして、背中合わせに配置した机１は一つのバックフレーム５を共用している。
【００２３】
バックフレーム５の上面にはバックパネル（フロントパネル）６を立設できるようになっている。符号７は天板２の後方に空いた配線空間を塞ぐカバーである。机１の側面には、オプション品として例えばミーティング用等の補助デーブル７を連結できるようになっている。補助テーブル７は天板８と脚９とを備えており、補助テーブル７の天板８は金具（図示せず）で机１の天板２に連結されている。
【００２４】
机１における天板２の下面部にはレールを介して引出し１１が配置されている。以下、天板２、支持レール１３、引出し１１の詳細を図２以下の図面を参照して説明する。図２は天板の部分底面図、図３は天板２と支持レール１３との関係を示す分離斜視図、図４は支持レール１３の取り付け手順の前半段階を示す側断面図、図５は支持レールの取り付け手順の後半段階を示す底面図、図６は図５のVI−VI視断面図であり、（Ａ）は嵌め込み途中での図、（Ｂ）は嵌め込み切った状態での図、図７のうち（Ａ）は支持レール１３を仮想線で表示した引出し１１の部分平面図、（Ｂ）は（Ａ）のＢ−Ｂ視断面図である。
【００２５】
(2).天板の構造
まず、図２〜図４に基づいて天板２の構造を説明する。本実施形態の天板２はスチール製であり、図２，３に示すように、その上面を構成する表面板１４と、表面板１４の前部下面に固着した前部補強枠１５と、表面板１４の後部下面に固着した後部補強枠１６と、前後補強枠１５，１６の間において表面板１４の下面に固着した第１〜第３の中間補強枠１７，１８，１９と、補強枠１５〜１９群の左右両端に固着した側枠体２０と、樹脂製のサイドエッジ２１及びリアエッジ２２を備えている（表面板１４の上面にメラミン等の保護層を設けている。）。
【００２６】
前後補強枠１５，１６はほぼ同じ断面形状であり、表面板１４に重なる前後の羽根状の部分と下向きに突出した角形樋状部２３を有する形態になっている。角形樋状部２３の下面部には上向きに凹んだ凹溝部２４が形成されている。前部補強枠１５における角形樋状部２３の凹溝部２４のうち支持レール１３と重なる部分の前壁には、支持レール１３の前部を取り付けるためのスリット状の前部係合穴２５が左右一対形成されている。
【００２７】
中間補強枠１７〜１９はいずれも上向き開口略樋状に形成されており、各中間補強枠１７〜１９において平面視で支持レール１３と重なる部分の下面には、支持レール１３の前後中途部を取り付けるための後部係合穴２６が形成されている。但し、支持レール１３の取り付けに使用されているのは第２中間補強枠１８のみである（各中間補強枠１７〜１９に後部係合穴２６を形成しているのは、部材を共通化するためである。）。
【００２８】
後部係合穴２６は左右長手のスリット状に形成されており、かつ、平面視で引出し１１の中心を挟んで左右外方向に行くに従って溝巾が小さくなるテーパ状に形成されている。また、中間補強枠１７〜１９の下面のうち係合穴２３の手前でかつ引出し１１の中央部に寄った部位には、角形の位置決め穴２７が形成されている。
【００２９】
(3).支持レールの詳細
次に、主として図４〜図７に基づいて支持レール１３を説明する。支持レール１３は金属板製であり、その上面を構成する上水平部２９と、引出し１１の外側において上水平部２９から垂下した垂直部３０と、垂直部３０の下端から引出し１１に向けて延びた下水平部３１とを備えており、このため全体としては引出し１１に向けて開口した略コ字状に形成されている。下水平部３１の先端は上向き片が折り曲げられている。上水平部２９は下水平部３１よりも広幅に形成されている（安定性を確保するためである。）。
【００３０】
支持レール１３における垂直部３０の前端上部と上水平部２９の前端部とには、前部補強枠１５における角形樋状部２３の前部係合穴２５に後方から嵌り込む側面視前向き鉤状の前部係止爪３２を上向きに突設している。図４に示すように、前部係止爪３２の上部は、その前端部を前部係合穴２２に差し込んだ状態で前部補強枠１５の凹溝部２４にすっぽりと収まる寸法に設定されている。従って、支持レール１３は前後ずれ不能に保持されている。また、図８に示すように、前部係止爪３２の後部にごく低い高さの上向き突起３２ａを形成して、この突起３２ａを前部補強枠１５に強く当てることでガタを確実に阻止している。
【００３１】
上水平部２９の前端部は、前部補強枠１５における凹溝部２４の前部壁面に当接するストッパー部２９ａになっている。ストッパー部２９ａは、垂直部３０から遠い位置に位置した一方の前部係止爪３２と一体に繋がっている。このため、ストッパー部２９ａと一方の前部係止爪３２とは堅牢な構造になっている。支持レール１３における垂直部３０の前端部には引出し１１に向けて突出した膨出部３０ａが形成されており、この膨出部３０ａに、引出し１１を支持するローラ３３が回転自在に軸支されている。
【００３２】
支持レール１３における上水平部２９の後寄り部位には、第２中間補強枠１８の後部係合穴２６に下方から嵌る係止爪３４が切り起こし形成されている。後部係止爪３４は、正面視で引出し１１の外側に向けて開口した切り欠き溝３５を備えていて正面視横向き鉤状の形態になっている。
【００３３】
従って、支持レール１３の取り付けは、まず、図４に示すように、後部を下向きにした斜め姿勢にして先ず前部係止爪３２を前部係合穴２５に後方から差し込み、次いで、支持レール１３を上向き回動させて後部係止爪片３４を第２中間補強枠１８の後部係合穴２６に下方から嵌め込んだのち、図５に示すように、前部係止爪３２を支点にして引出し１１の外側に向けて水平旋回させることにより、後部係止爪３４の切り開き溝３５を第２補強枠１８に嵌め込む、という手順を採ることになる。
【００３４】
支持レール１３の上水平部２９のうち後部係止爪３４の手前側には、当該後部係止爪３４を切り起こし形成したことによって透かし穴３６が空いており、この透かし穴３６の左右内側縁には正面視鉤形の受け爪３７が上向きに突設されており、透かし穴３６の前縁には押え片３８が上向きに突設されている。
【００３５】
そして、透かし穴３６の箇所に、受け爪３７及び押さえ片３８を介して、樹脂製の抜け止め部材３９が弾性変形を利用して装着されている。そして、抜け止め部材３９には、第２中間補強枠１８の位置決め穴２７に下方から嵌るフック片４０が一体に形成されており、フック片４０は、支持レール１３を水平旋回させることにより、弾性に抗しての変形によって位置決め穴２７に嵌合し、これにより、支持レール１３はガタ付き無く左右動不能に保持される。
【００３６】
抜け止め部材３９の存在により、天板２の下面（すなわち各補強枠１５〜１９の下面）と支持レール１３の上面との間に若干の間隔寸法ｅ（例えば３ｍｍ程度）の隙間Ｓが空いている。換言すると、抜け止め部材３９は、上水平部２９と天板２との間に隙間Ｓを設けるためのスペースの役割も果たしている。
【００３７】
また、図４に示すように、前部係止爪３４が前部補強枠１５の凹溝部２４に嵌まって上向き動不能に保持された状態で上水平部２９と前部補強枠１５の下面との間には隙間Ｓが空いている。更に、図３，４に示すように、支持レール１３における上面板２９に、天板における補強枠の下面に当たる上向き突起２９ｂを膨出形成している。図８，９では突起２９ｂは表示していない。
【００３８】
(4).引出しの構造
次に、図８も参照して引出し１１の構造を説明する。図８は図７の VIII-VIII視断面図である。
【００３９】
引出し１１は基本的にはスチール製であり、例えば図８から理解できるように、前部は人が指を下方から差し込むことのできる下向き開口の溝状部４２になっており、前記溝状部の後部は略鉛直姿勢の仕切り壁になっていてその後方は収納部になり、前記溝状部の前部は前記収納部の深さ寸法よりも小さい寸法で下向きに突出した指掛け部になっており、このため、前記収納部は溝状部４２になっており、溝状部４２の後ろ側は奥行きが小さい補助収納部４３となり、補助収納部４３の後方には奥行きが大きい主収納部４４になっている。
【００４０】
補助収納部４３と主収納部４４とは上向きの隔壁４５で区画されており、また、補助収納部４３は主収納部４４よりも浅くなっている。言うまでもないが、主収納部４４の後端には後ろ壁を設けている。
【００４１】
溝状部４２の前部は、これを構成する板材を折り返すことで筒状の指掛け部４２ａになっており、指掛け部４２ａの下向き突出寸法は補助収納部４３の深さ寸法の略半分程度になっている。従って、補助収納部４３は溝状部４２から段落ちした状態になっている。また、溝状部４２と補助収納部４３とは仕切り壁４６で区画されている。仕切り壁４６の上端部は側面視後傾状の傾斜面４６ａになっている。
【００４２】
例えば図７（図９も参照）に示すように、補助収納部４３及び主収納部４４の左右側端には側板４７が設けられており、側板４７上方には下向きに開口した張り出し部４７ａが一体に形成されている。この張り出し部４７ａが支持レール１３のローラ３３で支持されている。また、図７（Ｂ）に示すように、引出し１１における側板４７の後端部には、支持レール１３の下水平片３１を上下から挟持するスライダー４８が取り付けられており、このため、引出し１１は殆ど左右にぶれることなく前後動自在になっている。溝状部４２の左右両側部には樹脂製のサイドエッジ５０を装着している。なお、溝状部４２の上面と前面とを覆う樹脂製のフロントエッジを装着することも可能である。
【００４３】
(5).施錠機構
次に、図９以下の図面も参照して施錠機構を説明する。図９は引出し１１と支持レール１３との分離斜視図、図１０は施錠機構の分離斜視図、図１１は施錠機構部の一部破断平面図、図１２は図１１の XII-XII視断面図である。
【００４４】
例えば図１０から容易に理解できるように、錠５２は、前面に鍵穴５３が開口すると共にシリンダを内蔵した正面視略角形の本体５４と、本体５４の後方に突出した金属板製のデッドボルト（閂部材）５５とからなっている。本体５４の後部は左右に張り出した取り付け板５６で構成されている。また、デッドボルト５５は本例では右側に延びており、先端には平面視で前後長手のストッパー部５５ａを上向きに突設している。
【００４５】
錠５２の本体５４は、引出し１１の仕切り壁４６に形成した窓穴５７を介して後方から溝状部４２に配置されており、取り付け板５６は仕切り壁４６の後面に重なっている。また、錠５２の本体５４は、平面視略コ字状で金属板製の保護部材５８で前方から覆われており、図１１に示すように、保護部材５８の後端に形成した左右の羽根片５８ａと仕切り壁４６と本体５４の取り付け板５６とをビス５９で共締めしている。仕切り壁４６にはビス４９が貫通する丸穴６０が空いており、また、本体５４の取り付け板５６には雌ねじ穴６１が空いている。
【００４６】
保護部材５８の前面には錠５２の鍵穴を５３を露出させるための穴６２が空いている。保護部材５８及び本体５４は溝状部４２の上端に寄せた状態に配置されており、このため、引出し１１の溝状部４２を構成する指掛け部４２ａには、保護部材５８（本体５４）を露出させるための切欠き部６３（図１０参照）が形成されている。
【００４７】
保護部材５８は、前板と左右の側板と底板とを有する樹脂製のフロントケース６４で覆われている（保護部材５８の上面は溝状部４２の上面板で覆われているので、フロントケース６４に上板は必要ない。）。フロントケース６４の側板６４ａには、ビス５９を覆う横向き張り出し部６４ｂが一体に形成されており、この横向き張り出し部６４ｂには、仕切り壁４６に空けた貫通穴６５を通って補助収納部４３に突出する第１係合爪６６が形成されている。第１係合爪６６は平面視で鉤形になっている。
【００４８】
更に、フロントケース６４の前板には、本体５４の鍵穴５３を露出させるための前穴６７が空いており、また、前板の上端には、錠５２における本体５４の上面に当たる舌片６４ｃが後ろ向きに突設されており、保護部材５８の前板には、舌片６４ｃが嵌まる角穴５８ｂが空いている。
【００４９】
錠５２のデッドボルト５５は補助収納部４３に配置したリアケース６８で覆われている。リアケース６８は、上板と背面板と左右側板とを有して前方及び下方に開放しており、その上板には、デッドボルト５５のストッパー部５５ａが上向き動することを許容するための左右一対の貫通穴６９を空けている。
【００５０】
リアケース６８の左右に貫通穴６９を空けているのは、錠５２を引出し１１の右側寄りに配置する場合と左側寄りに配置する場合とで共用するためである（但し、デッドボルト５５は右使い用と左使い用との２種類を用意する必要がある。）。勿論、リアケース６８を左右専用品として製造して、貫通穴６９は一つだけ形成することも可能であり、この場合はリアケース６８がコンパクトになる。
【００５１】
リアケース６８は、その前面が仕切り壁４６の後面に重なるようになっており、図１１に示すように、フロントケース６４の第１係合爪６６が係合する係合部７０を形成している。第１係合爪６６は弾性変形によって係合部７０に引っ掛かり係合する。また、図１２に示すように、リアケース６８の係合部７０の箇所には、フロントケース６４に設けた第１係合爪６６の付け根部６６ａに引っ掛かり係合する下向きで正面視鉤形の第２係合爪７１を形成している。
【００５２】
この場合、第１係合爪６６の付け根部６６ａの外側面は、正面視で下から上に行くに従って錠５２の中心部に向かって倒れるような傾斜面になっており、また、左右の第２係合爪７１は全体として正面視略ハの字状を成す姿勢になっている。
【００５３】
フロントケース６４とリアケース６８との取り付けの順序は、先にフロントケース６４を装着してから次にリアケース６８を取り付けることになる。フロントケース６４は、第１係合爪６６が仕切り壁４６の貫通穴６５に嵌まった状態でリアケース６８に係合しているため上下動不能及び左右動不能並びに前向き動不能に保持されており、他方、リアケース６８は、第１係合爪６６と第２係合爪７１とにより、左右動不能及び後ろ向き抜け不能及び上向き移動不能に保持されている。なお、第１係合爪６６と第２係合爪７１とはそれぞれ別の部分に係合させても良い。
【００５４】
そして、支持レール１３における上水平部２９の前端部には、デッドボルト５５の係合部の一例として、引出し１１を押し込み切った状態で錠５２をキーで解施錠操作するとデッドボルト５５のストッパー部５５ａが嵌脱する係合穴７２を空けている。この場合、支持レール１３における上水平部２９は天板２の下面との間にある程度の隙間Ｓが空いているため、上水平部２９に単に係合穴７２を空けただけでありながら、デッドボルト５５のストッパー部５５ａは係合穴７２に対して十分な引っ掛かり代を確保することができる。
【００５５】
本実施形態のように保護部材５８を設けると、錠５２をしっかりと保持できる利点がある。また、特許文献１では引出しの内側から挿入したビスでカバーを引出しの前面に締結していたが、この方法では本実施形態のように補助収納部４３を備えている場合はビスの回転操作が頗る厄介で取り付け作業が面倒であるという欠点がある。これに対して本実施形態では、ビス５９は引出し１１の前方から回転操作するものであるため錠５２の取り付け作業は簡単であり、かつ、ビス５９はフロントケース６４で覆われているため施錠状態で錠５２を取り外すことはできず、このため防盗性も確保できる。
【００５６】
(6).その他
本願発明は上記の実施形態の他にも様々に具体化できる。例えば天板は必ずしもスチール製には限らず、例えば木製とすることも可能である。また、引出しには必ずしも補助収納部を設ける必要はない。また、上記の実施形態ではフロントケースは係合爪を利用してリアケースに固定しているが、フロントケースから後ろ向きに突設した足部をリアケースにビス止めするといったことも可能である。また、リアケースは引出しに取り付けても良い。
【００５７】
デッドボルトを係脱させるために支持レールに設ける係合部は必ずしも穴である必要はなく、錠におけるデッドボルトの作動態様に応じて選択できる（例えば下向きのリップ状に形成することも可能である）。更に、本願発明の適用対象は机には限らず、キャビネット等の他の家具にも適用できる。なお、本実施形態で開示した保護部材やフロントケース、リアケースの構成は、デッドボルトを支持レールに係脱させるという思想に従属することなく独立した発明たり得る。
【図面の簡単な説明】
【００５８】
【図１】本願発明が具体化された机の概略斜視図である。
【図２】天板の部分底面図である。
【図３】天板と支持レールとの関係を示す分離斜視図である。
【図４】支持レールの取り付け手順を示す断面図である。
【図５】支持レールの取り付け手順を示す底面図である。
【図６】図５のVI−VI視断面図である。
【図７】引出しの部分平面図、（Ｂ）は（Ａ）のＢ−Ｂ視断面図である。
【図８】図７の VIII-VIII視断面図である。
【図９】引出しと支持レールとの分離斜視図である。
【図１０】施錠機構の分離斜視図である。
【図１１】施錠機構部の一部破断平面図である。
【図１２】図１１の XII-XII視断面図である。
【００５９】
１  家具の一例としての机
２  机本体を構成する天板
１１  引出し
１３  支持レール
１５  天板の前部補強枠
１８  天板の第２中間補強枠
２４  凹溝部
２５  支持レールの前係合穴
２６  支持レールの後係合穴
２９  支持レールの上水平部
３２  支持レールの前部係合爪
３４  支持レールの後部係合爪
５２  錠
５５  デッドボルト
５５ａ  デッドボルトのストッパー部
５８  保護部材
６４  フロントケース
６８  リアケース
【図１】
2008088668.tif 000003
【図２】
2008088668.tif 000004
【図３】
2008088668.tif 000005
【図４】
2008088668.tif 000006
【図５】
2008088668.tif 000007
【図６】
2008088668.tif 000008
【図７】
2008088668.tif 000009
【図８】
2008088668.tif 000010
【図９】
2008088668.tif 000011
【図１０】
2008088668.tif 000012
【図１１】
2008088668.tif 000013
【図１２】
2008088668.tif 000014
【手続補正書】
【提出日】平成18年10月2日(2006.10.2)
【手続補正１】
【補正対象書類名】図面
【補正対象項目名】図１
【補正方法】変更
【補正の内容】
【図１】
2008088668.tif 000015